(57)【要約】【課題】既存の水洗タンク内のオーバーフロー管に球状弁開閉調節棒を設けてなる浮き子を通した水洗便器簡易節水具を提供することを目的とする。【解決手段】  既存の水洗タンク１内のオーバーフロー管２に球状弁開閉調節棒３を設けてなる浮き子４を挿入し浮かべ、オーバーフロー管２の上部に上部挟着具５を挟着し、その下部に下部挟着具６を挟着して、浮き子４を水位により昇降スライド安定自在にする摺動棒８を上部挟着具５、浮き子４、下部挟着具６の各孔９，９ａ，１０，１１に通して摺動棒を上部挟着具９ａの下側で固定することを特徴とする水洗便器簡易節水具。【選択図】図１
0003133415.tif 000002
【実用新案登録請求の範囲】
【請求項１】
既存の水洗タンク１内のオーバーフロー管２に開閉球状弁調節棒３を設けてなる浮き子４を挿入して浮かべ、オーバーフロー管２の上部に上部挟着具５を挟着し、その下部に下部挟着具６を挟着して、浮き子４を水位７により滑らかに垂直に昇降スライド安定自在にする摺動棒８を上部挟着具５、浮き子４、下部挟着具６のそれぞれの通し孔９、１０、１１に通して摺動棒８を上部挟着具の通し孔９ａに上から下に通して上部挟着具の下側で折り曲げて固定することをする特徴とする水洗便器簡易節水具。
【請求項２】
前記既存の水洗タンク１内のオーバーフロー管２に開閉球状弁調節棒３を設けてなる浮き子４を挿入して浮かべ、浮き子４を水位７により滑らかに垂直に昇降スライド安定自在にする球状弁調節棒３の調節により開閉球状弁１３の開閉を制限することを特徴とする請求項１記載の水洗便器簡易節水具。
【請求項３】
前記オーバーフロー管２に装着された浮き子４は、摺動棒８の摺動で左右に振動することなく水位７により滑らかに垂直に昇降スライド安定自在にすることをする特徴とする請求項１記載の水洗便器簡易節水具。
【考案の詳細な説明】
【技術分野】
【０００１】  本考案は、既存の水洗タンク内のオーバーフロー管に球状弁開閉調節棒を設けてなる浮き子を挿入して浮かべ、オーバーフロー管の上部に上部挟着具を挟着し、その下部に下部挟着具を挟着して、浮き子を水位により滑らかに昇降スライドを安定自在にする摺動棒を上部挟着具、浮き子、下部挟着具に通して摺動棒を上部挟着具に固定してなる水洗便器簡易節水具に関するものである。
【背景技術】
【０００２】  従来の技術としては、水洗効果を確保したまま水洗タンクの節水を図り水洗タンク内に設けたフロート連結すると連結体と、同連結体に連結すると共に、水洗タンク内に設けたオーバーフロー管に昇降スライド自在に取り付ける昇降フロート体と、同昇降フロート体の下端に取り付ける閉弁作用体とを具備したものに関するものがある。【０００３】  この公開特許文献としては、上記説明の特開平１１−１９５０公開特許公報「水洗タンク用節水具」である。【０００４】  また、洗浄流水の勢いを低下させることなく、洗浄水量を調節することができるトレイ用ロータンクの節水装置を提供するものがある。【０００５】  適量の水を入れた浮子は満水時には、水面に浮き上がり、排水時には、水位の低下と共に下がり、浮子の下面に取り付けた排水弁押し下げ部材が、排水弁を押し下げ、ロータンク内に水が一部残存した状態で、排水口を閉じるように構成されている。なお、排水弁の上方にガイド等が取り付けられていない構造のロータンクでは、排水弁押し下げ部材として、ガイド等に妨げられずに上下移動ができる棒状体を使用し、ロータンクの構造の違いに対応できるようになっているものがある。【０００６】  この特許文献としては、上記説明の特開平１１−１９５０公開特許公報「トイレ用ロータンクの節水装置」である。【０００７】  これらの節水技術としては何れも従来の技術に改良を加えた水洗タンク内に新しく設置するもので、これらの製品を手に入れるのには新しい製品を購入しなければならず極めて不経済である。【０００８】  この改善策として、本考案は、既存の水洗タンク内の給排水の装置に手を加えることなくオーバーフロー管に球状弁開閉調節棒を設けてなる浮き子を挿入して浮かべ、そのオーバーフロー管の上部に上部挟着具を挟着し、その下部に下部挟着具を挟着して、浮き子を水位により昇降スライド安定自在にする摺動棒を上部挟着具、浮子、下部挟着具それぞれに通孔を設けてある通孔に摺動棒を通して上部挟着具に固定してなる水洗便器簡易節水具に関するものである。【０００９】  水洗レバーを押し上げると連結鎖に連動している排水球弁が開き、その開き過ぎを調節する浮き子に設けられた開閉球状弁調節棒にあたり、浮き子は排水のため水位が下がると浮き子の設けられた開閉球状弁調節棒が下がり、その下にある開閉球状弁を押さえ排水口を塞ぐことになり、排水を制限するので節水となることを実現した。
【考案の開示】
【考案が解決しようとする課題】
【００１０】  本考案が、上記従来技術の解決しようとする点は、本考案は、既存の水洗タンク内の給排水の装置に手を加えることなくオーバーフロー管に球状弁開閉調節棒を設けてなる浮き子を挿入し、上部挟着具、下部挟着具、摺動棒の４個の部品を設けてできる簡易節水具であることを特徴とする点である。
【課題を解決するための手段】
【００１１】  本考案は、既存の水洗タンク内のオーバーフロー管に開閉球状弁調節棒を設けてなる浮き子を浮かべ、オーバーフロー管の上部に上部挟着具を挟着し、その下部に下部挟着具を挟着して、浮き子を水位により滑らかに昇降スライド安定自在にする摺動棒を上部挟着具、浮き子、下部挟着具のそれぞれの通し孔に通して摺動棒を上部挟着具の通し孔に上から下に通して上部挟着具の下側で折り曲げて固定することをする特徴とする水洗便器簡易節水具である。【００１２】  そして、前記既存の水洗タンク内のオーバーフロー管に開閉球状弁調節棒を設けてなる浮き子を浮かべ、浮き子を水位により滑らかに昇降スライド安定自在にする球状弁調節棒の調節により開閉球状弁の開閉を制限することを特徴とする水洗便器簡易節水具である。【００１３】  また、前記オーバーフロー管に装着された浮き子は、摺動棒の摺動で左右に振動することなく水位により滑らかに昇降スライド安定自在にすることをする水洗便器簡易節水具である。
【考案の効果】
【００１４】  以上説明したように本考案は、既存の水洗タンク内の給排水装置に手を加えることなく、オーバーフロー管に開閉球状弁調節棒を設けてなる浮き子を挿入して浮かべ、オーバーフロー管の上端部に上部挟着具を挟着し、その下端部に下部挟着具を挟着して、その中間の浮き子は、摺動棒の働きで左右に振れることなく水位の増減により滑らかに昇降スライド運動を安定自在にするものである。【００１５】  水洗タンク内の水を流す際、水洗レバーを押し上げると連結鎖と連動している排水球弁が開き、あらかじめその開き具合を調節する螺子を緩めて調節し、その螺子を締めることにより固定する。
浮き子に設けられた開閉球状弁調節棒に当たっている浮き子は、排水のため水位が下がると浮き子の設けられた開閉球状弁調節棒が同時に下がり、その下にある開閉球状弁を強制的に押さえ排水口を塞ぐこととなり、そのことにより排水は制限されるので節水となる効果を有する。【００１６】  したがつて、浮き子に設けられる開閉球状弁調節棒には、節水の目安となる目盛が付けてあり、その目盛りのどれを選ぶかはその利用者の判断で決めることができ便利である。【００１７】  本考案は、既存の水洗タンク内の給排水の装置に一切手を加えることなくオーバーフロー管に直接、球状弁開閉調節棒を設けてなる浮き子を挿入して水洗タンク内に浮かべ、オーバーフロー管の上端部に上部挟着具と、その下端部に下部挟着具を挟着し、摺動棒を通して、４個の部品を設置してなる簡易節水具であり極めて経済的効果を有するものである。
【考案を実施するための最良の形態】
【００１８】  本考案は、既存の水洗タンク内のオーバーフロー管に直接、樹脂加工による上部挟着具、下部挟着具、摺動棒、浮き子、球状弁開閉調節棒５個の部品を一般の人でも簡単に組み立てることができる簡易節水具を実現した。
【実施例】
【００１９】  本考案の実施の態様を以下に図面を参考に説明する。図１は、本考案に係る水洗タンク内のオーバーフロー管に節水具を設けた一部切り欠いた正面作用説明図あり、図２は、本考案に係る水洗タンク内のオーバーフロー管に節水具を設けた一部切り欠いた水洗タンク内の水が満杯の状態の正面作用説明図あって、図３は、本考案に係る水洗タンク内のオーバーフロー管に節水具を設けた一部切り欠いた水洗タンク内の水を流した状態の正面作用説明図である。【００２０】  図４は、浮き子の斜視図であり、図５は、浮き子の平面図であってその説明図である。図６は、オーバーフロー管の上端部に上部狭着具を挟着させ、下端部に下部狭着具を挟着させて上下の挟着具に摺動棒を通し、上部狭着具において摺動棒を固定した状態において、浮き子をオーバーフローに通した状態で中央断面図を示し、更に浮き子の摺動棒を通した部分を切り欠いて、中央より断面して示すものである。また、左側上に上部狭着具の斜視図を示し、その下に下部狭着具の斜視図を示すものである。【００２１】  更に、本考案の実施の態様を詳細に図面に基づいて説明すると、図１は本考案に係る水洗タンク１内のオーバーフロー管２に節水具を設けた一部切り欠いた正面であって、既存の水洗タンク１内の給排水の装置に手を加えることなくオーバーフロー管２に球状弁開閉調節棒３を設けてなる浮き子４を挿入して、オーバーフロー管２の上端部に上部狭着具５を挟着させ、下端部に下部狭着具６を挟着させて上下の挟着具に摺動棒８を通し、上部狭着具５において摺動棒８を固定して設置できる簡易節水具である。【００２２】  図１に示すように、水洗レバー１３を押し上げると点線の連結鎖１４により開閉球状弁１５が引き上げられて点線の開閉球状弁１５ａが開閉球状弁調節棒３にあたり、図２に示すように、開閉球状弁１５の開き開閉球状弁調節棒３の調節により制限され、その調節が節水に大きな役割を果たすものである。【００２３】  そして、図２に示すように水洗レバー１３を押し上げると連結鎖１４により開閉球状弁１５が引き上げられて開閉球状弁調節棒３にあたると同時に水洗タンク１内の水は排水口２３を通って排水管１６に流れ出し水洗タンク内の水位７は一挙に下がり図３に示すとおり、水位７ａとなると同時に浮き子４に装着された開閉球状弁調節棒３も下がり開閉球状弁調節棒３の下に当たっている開閉球状弁１５は開閉球状弁調節棒３により強制的に抑えられて排水口２３は塞がれる。【００２４】  その作用効果は、図１において点線で示すとおり、水洗タンク１内の水は、満たされている状態において、水洗レバー１３を押し上げると連結鎖１４により開閉球状弁１５が引き上げられ、点線で示す開閉球状弁１５ａが開閉球状弁調節棒４にあたると同時に水洗タンク１内の水は排水管１６に流れ出し水洗タンク１内の水位７は下がり点線の水位７ａと同時に浮き子４も下がり、点線の浮き子４ａの位置となる。また、浮き子４は、摺動棒８が図１乃至図３に示すように通されているので左右に振れることなく滑らかに垂直に昇降するものである。【００２５】  既成のフロート１７が下がり、図示していないが連動する弁が開き入水が始まり、水位はもとに戻り、浮き子も正位置にもどるもの���あり、この作業を繰り返すものである。【００２６】  図４に示す浮き子４の斜視図においてを、オーバーフロー管２に挿入する浮き子４の孔１８内に６個の突起１９は、浮き子４とオーバーフロー管２との摩擦を少なくし溝２０に水を通すことにより滑らかに昇降するものである。【００２７】  図５は、浮き子４の平面図であって、中央の孔１８はオーバーフロー管２に挿入する孔であり、図面の下側の小さな孔は摺動棒を通す孔１０で、浮き子４の昇降を左右に振れることなく滑らかに垂直に昇降させるものであります。そして、図面右側の小さな孔２１は開閉球状弁調節棒３を調節する調節孔２１とその調節螺子１２である。【００２８】  図６は、オーバーフロー管２の要部とそのオーバーフロー管２中央部に浮き子４の一部中央断面とその摺動棒を通す孔１０の中央断面とを組み合わせた断面図を示し、更に、調節孔２３とその調節螺子２４の断面を示した図に目安となる目盛り２２付した開閉球状弁調節棒３を示してなるものである。【００２９】  そして、図６は、オーバーフロー管２の上端部に上部狭着具５を挟着させ、下端部に下部狭着具６を挟着させて上下の挟着具に摺動棒８を通し、上部狭着具５において摺動棒８を固定し、上部狭着具５と下部狭着具６の摺動棒８の通された部分の一部を切り欠き断面図とし、その外側にそれぞれの狭着具５，６の斜視図を示すものである。
【産業上の利用可能性】
【００３０】  以上説明したことから明らかなように、本考案は、図１に示すように既存の水洗タンク内の給排水の装置に手を加えることなく、オーバーフロー管に開閉球状弁調節棒を設けてなる浮き子の開閉球状弁調節棒を調節し、開閉球状弁の開き具合を調節することによって、排水量を調節し節水に寄与するものである。
専門家でなくとも説明書によりオーバーフロート管にオーバーフロー管に開閉球状弁調節棒を設けてなる浮き子を挿入し、上部に上部狭着具、下部に下部狭着具を挟着して、それぞれの孔に摺動棒を通して上部狭着具に固定することにより簡単に設置することができる簡易節水具である。
【図面の簡単な説明】
【００３１】
【図１】  本考案に係る水洗タンク内のオーバーフロー管に節水具を設けた一部切り欠いた正面作用説明図。
【図２】  本考案に係る水洗タンク内のオーバーフロー管に節水具を設けた一部切り欠いた水洗タンク内の水が満杯の状態の正面作用説明図。
【図３】  本考案に係る水洗タンク内のオーバーフロー管に節水具を設けた一部切り欠いた水洗タンク内の水を流した状態の正面作用説明図。
【図４】  浮き子の斜視図。
【図５】  浮き子の平面図。
【図６】  オーバーフロー管の上端部に上部狭上端部に上部狭着具を挟着させ、下端部に下部狭着具を挟着させて上下の挟着具に摺動棒を通し、上部狭着具において摺動棒を固定した状態において、浮き子をオーバーフローに通した状態で中央断面図を示し、更に、浮き子の摺動棒を通した部分を切り欠いて中央より断面して示すものである。また、左側上に上部狭着具の斜視図を示し、その下に下部狭着具の斜視図を示すものである。
【符号の説明】
【００３２】  １  水洗タンク
２  オーバーフロー管
３  開閉球状弁調節棒
４  浮き子
５  上部挟着具
６  下部挟着具
７  水位
８  摺動棒
９  上部挟着具通し孔
１０  浮き子通し孔
１１  下部挟着具通し孔
１２  螺子
１３  水洗レバー
１４  連結鎖
１５  開閉球状弁
１６  配水管
１７  フロート
１８  オーバーフロー管挿入孔
１９  突起
２０  溝
２１  調節棒通し孔
２２  目盛
２３  排水口
【図１】
0003133415.tif 000003
【図２】
0003133415.tif 000004
【図３】
0003133415.tif 000005
【図４】
0003133415.tif 000006
【図５】
0003133415.tif 000007
【図６】
0003133415.tif 000008